(57)【要約】【課題】外部からの各種信号を途切れることなく取り込んで収録し、収録データを必要時に遠隔で閲覧可能にする。【解決手段】データ収録装置３は、入力手段１１、第１制御手段１２、記憶手段１３、第２制御手段１４を備える。入力手段１１は、外部からの各種信号を取り込む。記憶手段１２には、入力手段１１が取り込んだ各種信号のうち測定信号を各チャンネル毎の計測データとして記憶される。第１制御手段１２は、入力手段１１からの各種信号を逐次取り込んで信号処理するとともに記憶手段１３に計測データを格納する。第２制御手段１４は、記憶手段１３に記憶された計測データをブラウザの起動により閲覧するための端末装置とネットワーク接続され、外部からのリセット信号の入力によりＷｅｂサーバー機能をリセットする。【選択図】                図２
2004326234.tif 000002
【特許請求の範囲】
【請求項１】
外部からの各種信号を取り込む入力手段と、
前記入力手段が取り込んだ各種信号を各チャンネル毎の計測データとして記憶する記憶手段と、
前記入力手段からの各種信号を逐次取り込んで信号処理するとともに前記記憶手段に前記計測データを格納する第１制御手段と、
前記記憶手段に記憶された計測データをＷｅｂブラウザの起動により閲覧するための端末装置とネットワーク接続され、外部からのリセット信号の入力によりＷｅｂサーバー機能をリセットする第２制御手段とを備えたことを特徴とするデータ収録装置。
【請求項２】
外部からの各種信号が入力される入力モジュールと、
前記入力モジュールからの各種信号を逐次取り込み、取り込んだ各種信号を各チャンネル毎の計測データとして収録するデータ収録装置と、
前記データ収録装置とネットワーク接続され、Ｗｅｂブラウザの起動により前記データ収録装置に収録された計測データを表示画面上に表示する端末装置とを具備し、
前記データ収録装置は、前記入力モジュールからの各種信号を取り込んで信号処理するとともに前記計測データを記憶手段に格納する第１制御手段と、前記端末装置にネットワーク接続されて外部からのリセット信号の入力によりＷｅｂサーバー機能をリセットする第２制御手段とを備えたことを特徴とするネットワーク記録システム。
【発明の詳細な説明】
【０００１】
【発明の属する技術分野】
本発明は、例えば熱電対や測温抵抗体などの温度計測センサからの温度信号の他、接点信号や電圧信号などの外部からの各種信号を逐次取り込み、この取り込んだ信号を計測データとして収録するデータ収録装置に関するとともに、前記各種信号を取り込みながら収録データを遠隔で必要時に閲覧できるネットワーク記録システムに関する。
【０００２】
【従来の技術】
外部から各種信号を取り込み、この取り込んだ各種信号を処理して各チャンネル毎の計測データとして収録するデータ収録装置が知られている。この種のデータ収録装置として、例えばペーパーレス記録計を例にとって説明する。従来のペーパーレス記録計は、例えば熱電対や測温抵抗体などの温度計測センサからの温度信号を複数の端子部から取り込み、この取り込んだ信号を各チャンネル毎の計測データとして収録し、この収録データに基づく計測結果を２次元表示器に表示している。これにより、記録計で必要不可欠とされていた記録紙などの消耗品に伴う工数とコストが大幅に削減し、記録紙の搬送駆動機構や制御機構などの複雑な構成を省いて煩わしさを解消している。また、この種のペーパーレス記録計において、計測データを記憶する媒体としては、例えばメモリカード、フロッピー（Ｒ）ディスク、フラッシュメモリなどの外部記憶媒体が用いられていた。
【０００３】
このような従来のペーパーレス記録計は、通常本体のケースがパネルに固定して設置されている。このため、計測データの確認や処理を行う場合、常時ペーパーレス記録計の傍にいる必要があり、パネルから離れた位置で測定データの確認や処理などの作業が困難で不便さがある。また、外部記憶媒体に記憶されている計測結果を離れた場所で表示させる場合には、それ専用のツール（例えば処理プログラムを組み込んだパソコン）などを予め準備する必要がある。従って、そのための設備と準備時間を必要とし、無駄なコストを浪費するという問題があった。
【０００４】
また、外部記憶媒体に記憶した計測データを処理する場合には、例えばパソコンなどの端末装置が設置されている場所まで外部記憶媒体を持ち運ぶ必要があり、データ処理の際に手間と時間を要するという問題があった。しかも、外部記憶媒体を端末装置まで持ち運ぶ際に紛失したり、破損するなどの障害を招く恐れもあった。
この出願の発明に関連する先行技術文献情報としては以下のものがある。
【０００５】
【特許文献１】
特開２００２−２２１４３６号公報
【特許文献２】
特開２００２−２９８２７４号公報
【特許文献３】
特開平６−２０３２８３号公報
【０００６】
図４は上記特許文献１に開示されるペーパーレス記録計の要部構成を示す断面図である。図４に示すペーパーレス記録計は、上述した問題を解消したもので、パネルに設置されるケースに対して着脱容易なフロントユニットを実装したものである。さらに説明すると、図４に示すペーパーレス記録計は、表示部である液晶表示器５０及び操作部であるスイッチボート５１に対し、液晶表示用電源である電源ボード５２とＣＰＵボード５３とを一体化してフロントユニット５４を構成している。フロントユニット５４とケース側の入力処理ボード５５とは、通信ケーブル５６及び電源ケーブル５７で接続される。そして、フロントユニット５４が着脱容易な装着手段でケース５８に装着される。このように構成されるペーパーレス記録計では、フロントユニット５４を移動させる場合、通信ケーブル５６及び電源ケーブル５７を延長する。そして、表示装置として使用する場合には、通信ケーブル５６を外し、表示したい記録保持回路を装着する。
【０００７】
このように、図４に示す特許文献１に開示されたペーパーレス記録計では、表示部及び操作部を含むフロントユニット５４が本体から着脱可能な構成となっている。そして、所望の位置までフロントユニット５４を移動させることにより、記録計としての機能を失うことなくオペレータの作業効率を向上させることができるようになっている。
【０００８】
上述した従来のペーパレス記録計では、データ計測位置から離れた場所でデータ管理を行う際、フロントユニット５４をケースから外して通信ケーブルや電源ケーブルを延長することになるが、ケーブルを延長して遠隔で表示を観測するにも限界がある。また、遠隔で使用する場合、ケーブルを延長する構成なので、延長されたケーブルが他の作業の邪魔になったり、何らかの障害により通信ケーブルが外れると、データの管理が遂行できない恐れがあった。
【０００９】
また、上記特許文献２や特許文献３には、通信ネットワークを利用して遠隔位置でデータの管理や表示を行うシステムが開示されている。そして、上記通信ネットワークを利用したシステムをペーパーレス記録計に採用したものも提案されている。しかし、ペーパーレス記録計に採用した従来のネットワーク構成では、端末装置に表示される計測データが所定時間分の静止画像であり、表示画面上をスクロールして逐次変化するトレンド表示ではなかった。このため、外部からの各種信号の取り込みに同期してリアルタイムに近い計測データを表示することができなかった。
【００１０】
【発明が解決しようとする課題】
ところで、上述した通信ネットワークを利用してペーパーレス記録計と端末装置との間をＬＡＮやインターネットによりネットワーク接続し、端末装置でＷｅｂブラウザを起動させ、ペーパーレス記録計からの計測データを端末装置の表示画面に表示する構成も考えられる。しかし、このような構成の場合、クライアントとなる端末装置側か、サーバーとなるペーパーレス記録計側で何らかの原因によりフリーズが発生してネットワーク接続が途絶えることがあり得る。ここで、端末装置側がフリーズした場合には、端末装置を再起動させれば、ペーパーレス記録計からの計測データの閲覧表示が可能になる。これに対し、サーバーとなるペーパーレス記録計側でフリーズが発生した場合には、外部からの各種信号が取り込めなくなり、収録される計測データが途絶えることになる。その結果、収録データの一部が欠落して正確な測定が行えないという事態を招く。
【００１１】
そこで、本発明は、上記問題点に鑑みてなされたものであり、外部からの各種信号を途切れることなく取り込んで収録でき、しかもこの収録データを必要時に遠隔で閲覧することができるデータ収録装置及びネットワーク記録システムを提供することを目的としている。
【００１２】
【課題を解決するための手段】
上記目的を達成するため、請求項１の発明に係るデータ収録装置は、外部からの各種信号を取り込む入力手段と、
前記入力手段が取り込んだ各種信号を各チャンネル毎の計測データとして記憶する記憶手段と、
前記入力手段からの各種信号を逐次取り込んで信号処理するとともに前記記憶手段に前記計測データを格納する第１制御手段と、
前記記憶手段に記憶された計測データをＷｅｂブラウザの起動により閲覧するための端末装置とネットワーク接続され、外部からのリセット信号の入力によりＷｅｂサーバー機能をリセットする第２制御手段とを備えたことを特徴とする。
【００１３】
また、請求項２の発明に係るネットワーク記録システムは、外部からの各種信号が入力される入力モジュールと、
前記入力モジュールからの各種信号を逐次取り込み、取り込んだ各種信号を各チャンネル毎の計測データとして収録するデータ収録装置と、
前記データ収録装置とネットワーク接続され、Ｗｅｂブラウザの起動により前記データ収録装置に収録された計測データを表示画面上に表示する端末装置とを具備し、
前記データ収録装置は、前記入力モジュールからの各種信号を取り込んで信号処理するとともに前記計測データを記憶手段に格納する第１制御手段と、前記端末装置にネットワーク接続されて外部からのリセット信号の入力によりＷｅｂサーバー機能をリセットする第２制御手段とを備えたことを特徴とする。
【００１４】
【発明の実施の形態】
以下、本発明の実施の形態を図面を参照しながら具体的に説明する。図１は本発明に係るデータ収録装置を含むネットワーク記録システムの第１実施の形態を示す構成図、図２は本発明に係るネットワーク記録システムのデータ収録装置のブロック図、図３は本発明に係るデータ収録装置を含むネットワーク記録システムの第２実施の形態を示す構成図である。
【００１５】
まず、図１及び図２を参照しながら本例のネットワーク記録システムの第１実施の形態の構成について説明する。
【００１６】
図１に示すように、第１実施の形態のネットワーク記録システム１（１Ａ）は、入力モジュール２、データ収録装置３、端末装置４を備えて概略構成される。このネットワーク記録システム１Ａは、各種信号が入力される入力モジュール２と、入力モジュール２からの各種信号を計測データとして収録するデータ収録装置３と、収録データを閲覧・管理する端末装置４との間がネットワーク接続されたものである。
【００１７】
入力モジュール２は、例えば計測現場に設置され、通信ケーブル５を介してデータ収録装置３とネットワーク接続される。この入力モジュール２は、計測ポイント数に応じた数だけ設置され、通信ケーブル５を介してデータ収録装置３に各種信号を入力している。各種信号としては、例えば熱電対や測温抵抗体などの温度計測センサからの温度信号の他、接点信号や電圧信号などがある。
【００１８】
データ収録装置３は、例えば測定現場を管理している現場管理室に設置される。データ収録装置３は、入力モジュール２からの各種信号を通信ケーブル５を介して取り込んでいる。また、データ収録装置３は、入力モジュール２からの信号を端末装置４のＷｅｂブラウザ上で設定されたアラームの設定値（上限値や下限値）と比較してアラーム判定したとき、また入力モジュール２から直接警報を示すアラーム信号が入力されたとき、そのアラームを示す接点信号を外部に出力している。なお、図１に示すデータ収録装置３（３Ａ）のように、熱電対や測温抵抗体などの計測センサを接続して、各種信号が直接入力される構成としても良い。データ収録装置３では、取り込んだ各種信号が測定信号の場合、その信号を各チャンネル毎の計測データとして収録する他、取り込んだ各種信号の処理を行っている。このデータ収録装置３により収録された計測データは、ＬＡＮケーブル６を用いてイーサネット（Ｒ）によりネットワーク接続された端末装置４に出力される。また、データ収録装置３は、上記計測データの収録の他、後述するＷｅｂサーバー機能、ＦＴＰ機能、電子メール機能などの各種機能を有している。
【００１９】
さらに、データ収録装置３の構成について説明する。図２に示すように、データ収録装置３は、入力手段１１、第１制御手段１２、記憶手段１３、第２制御手段１４を備えている。
【００２０】
入力手段１１は、Ｉ／Ｏインターフェース又は通信インターフェースであり、入力モジュール２からの各種信号を計測状況に応じて逐次取り込んでいる。この入力手段１１は、入力モジュール２からの各種信号の通信入力に限らず、直接各種信号の入力が可能な構成となっている。この場合、入力手段１１には、例えば熱電対や測温抵抗体などの温度計測センサからの温度信号に限らず、接点信号や電圧信号などが各種信号として入力される。
【００２１】
第１制御手段１２は、例えばＣＰＵなどのマイクロプロセッサで構成され、入力手段１１が取り込んだ各種信号の処理を行っている。具体的に、第１制御手段１２では、入力手段１１から取り込んだ各種信号が測定信号のとき、各チャンネル毎に入力されるその信号をチャンネル毎の計測データとして記憶手段１３に格納している。また、第１制御手段１２では、各種信号による測定信号の各チャンネル毎の平均値の算出、アラーム出力する際の測定結果と基準設定値との比較演算などの信号処理を行っている。
【００２２】
記憶手段１３は、ＲＯＭ，ＲＡＭの他、例えばコンパクトフラッシュ（Ｒ）メモリカードのような外部記憶媒体などで構成される。この記憶手段１３には、収録データの表示処理に関する各種処理プログラムや各種設定データが記憶されている。また、記憶手段１３には、入力手段１１から取り込んで第１制御手段１２で処理された各チャンネル毎の計測データや処理データが記憶される。
【００２３】
第２制御手段１４は、例えばＣＰＵなどのマイクロプロセッサで構成され、ＬＡＮケーブル６を用いてイーサネット（Ｒ）により端末装置４とネットワーク接続されている。この第２制御手段１４は、Ｗｅｂサーバー機能、ＦＴＰ機能、電子メール機能などの各種機能を有し、ネットワーク上の信号処理を制御している。Ｗｅｂサーバー機能は、端末装置４側からＷｅｂブラウザの起動によりアプリケーションレスでデータを確認できる機能であり、端末装置４からＷｅｂブラウザの起動により閲覧要求があると、記憶手段１３に格納して収録された各チャンネル毎の計測データや処理データを端末装置４に配信している。ＦＴＰ機能は、ネットワーク上のサーバーにデータなどを送信する機能である。電子メール機能は、アラームやメモリ不足などのメンテナンス情報を電子メールで送信する機能である。
【００２４】
また、第２制御手段１４には、必要に応じて外部からリセット信号が入力される。リセット信号は、何らかの原因でデータ収録装置３側にフリーズが発生した場合に入力される。そして、第２制御手段１４は、リセット信号が入力されたときに、Ｗｅｂサーバー機能をリセットしている。これにより、入力モジュール２からの各種信号を取り込んで処理する第１制御手段１２の動作を停止することなく、第２制御手段１４の動作のみをリセットする。
【００２５】
端末装置４は、例えばパソコンなどの汎用の情報処理装置で構成される。この端末装置４は、入力モジュール２やデータ収録装置３を管理する各事業所の管理室などに設置される。この端末装置４は、データ収録装置３に収録された各チャンネル毎の計測データをＷｅｂブラウザの起動により表示画面上に任意の表示フォーマットで表示している。なお、計測データを表示する表示フォーマットは、例えば全てのチャンネルのデータを１画面上に表示する他、画面を８分割して計測データ、チャート、アラーム状況などを表示するなど、各端末装置４でカスタマイズ可能となっている。
【００２６】
ところで、図１に示す構成では、データ収録装置３と端末装置４が別体に構成されるが、ネットワーク接続のための通信ケーブル５、ＬＡＮケーブル６を含めてデータ収録装置３と端末装置４とを一体に構成しても良い。この場合、外部からの各種信号を取り込んでデータ収録し、収録データを表示するスタンドアロンのペーパーレス記録計を構成することができる。これにより、データ収録と同時に逐次データの閲覧表示が可能となる。また、データ収録装置３と端末装置４とが一体化されるので、ネットワーク環境を構築する際のケーブル数が減少し、構成の簡略化が図れる。
【００２７】
次に、図３を参照しながら本例のネットワーク記録システムの第２実施の形態の構成について説明する。なお、図３のネットワーク記録システムにおいて、図１と同一の構成要素には同一番号を付し、その説明を省略している。
【００２８】
第２実施の形態のネットワーク記録システム１（１Ｂ）は、上述した第１実施の形態のネットワーク記録システム１Ａの構成に加え、既存の電話回線などを用いてルータなどのネットワーク中継装置１５を介して外部の端末装置４との間がインターネット接続される構成である。また、ＬＡＮケーブル６には複数台の端末装置４が接続されている。図３の例において、ＬＡＮケーブル６に接続される端末装置４は、収録データ閲覧用の端末装置４Ａと、サーバーとして機能する端末装置４Ｂで構成される。端末装置４Ａは、データ収録装置３に収録された各チャンネル毎の計測データをＷｅｂブラウザの起動により表示画面上に任意の表示フォーマットで表示している。端末装置４Ｂは、ＦＴＰサーバー機能を有しており、データ収録装置３から送られてきた各種計測データの自動格納を行っている。なお、図３の例において、データ収録装置３は、入力モジュール２から信号が入力されたとき、予め設定されたアラームの上限値又は下限値との比較によりアラーム判断を行っている。また、このアラーム判断を行うための上限値や下限値は、端末装置４（４Ａ）のＷｅｂブラウザ画面上から設定可能となっている。
【００２９】
また、図３の例において、ネットワーク中継装置１５にインターネット接続される外部の端末装置４は、本社管理室や事業所管理室などに設置される収録データ閲覧用の端末装置４Ｃ、自宅や出張先などで使用される例えばノートパソコンからなる端末装置４Ｄや携帯電話からなる端末装置４Ｅで構成される。これらの端末装置４Ｃ〜４Ｅは、ネットワーク中継装置１５、ＬＡＮケーブル６を介して端末装置４Ａ，４Ｂやデータ収録装置３とインターネット接続され、端末装置４Ａ，４Ｂやデータ収録装置３との間でデータ伝送される。
【００３０】
このように、第２実施の形態のネットワーク記録システム１Ｂでは、例えば各事業所を統轄管理する本社管理室に設置されたパソコンなどの情報処理装置に限らず、無線を利用した携帯電話やノート型のパソコンなどを端末装置４として幅広く利用できる。そして、ネットワーク接続された各端末装置４は、Ｗｅｂブラウザ上でデータ収録装置３に収録された各チャンネル毎の計測データの閲覧が可能になるので、より遠距離から必要に応じてデータ収録装置３の各種計測データのデータ管理を容易に行うことができる。
【００３１】
また、入力モジュール２からアラーム信号がデータ収録装置３に入力されたり、直接データ収録装置３にアラーム信号が入力されると、データ収録装置３の電子メール機能により警報データとともにアラームを端末装置４に通知することができる。特に、端末装置４が携帯電話４Ｅの場合、外出先でも警報を知ることができる。
【００３２】
さらに、ネットワーク接続されたデータ収録装置３側にフリーズが発生した場合には、第２制御手段１１にリセット信号が入力されると、Ｗｅｂサーバー機能のみをリセットし、各種信号による計測データを途切れることなく継続して収録することができる。
【００３３】
このように、上述したネットワーク記録システム１Ｂによれば、アラーム信号や電子メールなどの警告信号をオペレータに素早く通知することにより、データ計測中に不測の事態が発生した場合でも素早く対応することができる。また、特別なアプリケーションソフトを使用せずＷｅｂブラウザを用いることにより、ネットワーク接続された各端末装置４側でデータ収録装置３に収録された各チャンネル毎の計測データを必要時に閲覧・管理できる。
【００３４】
次に、図１の構成を包含する図３のネットワーク記録システム１Ｂの動作について説明する。例えば熱電対や測温抵抗体などの温度計測センサからの温度信号は、入力モジュール２に入力され、通信ケーブル５を介して逐次データ収録装置３に取り込まれる。なお、データ収録装置３に直接各種信号が取り込まれる場合もある。
【００３５】
データ収録装置３では、逐次取り込んだ各種信号を第１制御手段１２が処理する。そして、各種信号のうち測定信号については、各チャンネル毎の測定データとして記憶手段１３に格納される。この記憶手段１３に格納された各チャンネル毎の計測データは、データ収録装置３のＦＴＰ機能により例えばＬＡＮケーブル６を介してネットワーク接続された端末装置４Ｂに送信される。これにより、端末装置４Ｂは、データ収録装置３が収録した各チャンネル毎の計測データを集中管理する。また、端末装置４Ｂは、ＦＴＰサーバーとして機能し、データ収録装置３から送信される計測データを、ネットワーク中継装置１５を介してインターネット接続される端末装置４（４Ｃ，４Ｄ，４Ｅ）に対し、要求時にＦＴＰ転送される。
【００３６】
ここで、端末装置４からデータ収録装置３に収録された計測データを閲覧する場合にはＷｅｂブラウザを起動させる。これにより、その端末装置４の表示画面上には、データ収録装置３に収録された各チャンネル毎の計測データが任意の表示フォーマットで表示され、計測データの閲覧が行える。なお、計測データを表示する表示フォーマットは、例えば全てのチャンネルのデータを１画面上に表示する他、画面を８分割して計測データ、チャート、アラーム状況などを表示するなど、各端末装置４でカスタマイズ可能となっている。
【００３７】
また、入力モジュール２からデータ収録装置３にアラーム信号が入力されたり、データ収録装置３に直接アラーム信号が入力された場合には、データ収録装置３の電子メール機能により警報データを含めてアラームが通知される。なお、アラームの通知先は、端末装置４（４Ａ）のＷｅｂブラウザ上から設定できるようになっている。
【００３８】
ここで、何らかの原因によりデータ収録装置３側にフリーズが発生した場合には、第２制御手段１４にリセット信号が入力されると、第２制御手段１４のＷｅｂサーバー機能がリセットされる。この際、第１制御手段１２の動作はリセットされない。従って、第１制御手段１２は、逐次入力される各種信号の取り込みを継続して信号処理し、測定信号については各チャンネル毎の計測データとして記憶手段１３に格納する。
【００３９】
このように、本例のネットワーク記録システム１では、通信ケーブル５やＬＡＮケーブル６を用いて入力モジュール２とデータ収録装置３と端末装置４との間をネットワーク接続する構成に加え、さらに既存の電話回線などを利用してルータなどのネットワーク中継装置１５を介して装置間をインターネット接続してネットワークを構築している。これにより、例えば計測データを統括管理する本社管理室のような計測現場から極めて離れた場所での計測データの閲覧・管理が常時可能となる。また、有線に限らず、無線を利用したノート型のパソコンや携帯電話などの端末装置で外出先や自宅にいながらにしてデータの閲覧・管理も可能となる。
【００４０】
上記計測データの閲覧・管理にあたっては、特別なアプリケーションソフトを使用せず、既存のＷｅｂブラウザを端末装置４で起動させることにより実行することができる。また、Ｗｅｂブラウザを使用するため、データ収録装置３に逐次取り込まれる各種信号による各チャンネル毎の計測データの収録と同時に端末装置４で計測データの閲覧を行うことができる。これにより、リアルタイムに近い計測データの閲覧が可能となり、異常事態が発生した際にも柔軟に対応できる。
このように、本例のネットワーク記録システム１によれば、外部からの各種信号を逐次取り込みながら計測データを必要時に遠隔地で閲覧・管理することができる。
【００４１】
そして、本例のネットワーク記録システム１では、データ収録装置３に内蔵された計測データ処理専用の第１制御手段１２と、計測データを閲覧・管理する際のネットワーク上の信号処理を行う第２制御手段１４とを別体に構成している。
これにより、データ収録装置３側にフリーズが発生した場合、第２制御手段１４にリセット信号を入力すれば、第２制御手段１４によるＷｅｂサーバー機能のみがリセットされ、第１制御手段１２により取り込み制御される各種信号による計測データを途切れることなく継続して収録することができる。その結果、収録データの一部が欠落することもなく、正確なデータを収録することができる。
【００４２】
【発明の効果】
以上の説明で明らかなように、本発明によれば、外部からの各種信号を逐次取り込みながら計測データを必要時に遠隔地で閲覧・管理することができる。これにより、リアルタイムに近い計測データの閲覧が可能となり、異常事態が発生した際にも柔軟に対応できる。
【００４３】
また、データ収録装置側にフリーズが発生した場合には、第２制御手段にリセット信号を入力することにより、Ｗｅｂサーバー機能のみをリセットし、逐次入力される各種信号による計測データの収録を途切れることなく継続して行うことができる。
【図面の簡単な説明】
【図１】本発明に係るデータ収録装置を含むネットワーク記録システムの第１実施の形態を示す構成図である。
【図２】本発明によるネットワーク記録システムのデータ収録装置のブロック図である。
【図３】本発明に係るデータ収録装置を含むネットワーク記録システムの第２実施の形態を示す構成図である。
【図４】従来のデータ収録装置の一例を示すペーパーレス記録計の構成を示す断面図である。
【符号の説明】
１（１Ａ，１Ｂ）…ネットワーク記録システム、２…入力モジュール、３…データ記録装置、４（４Ａ，４Ｂ，４Ｃ，４Ｄ，４Ｅ）…端末装置、５…通信ケーブル、６…ＬＡＮケーブル、１１…入力手段、１２…第１制御手段、１３…記憶手段、１４…第２制御手段、１５…ネットワーク中継装置。
【図１】
2004326234.tif 000003
【図２】
2004326234.tif 000004
【図３】
2004326234.tif 000005
【図４】
2004326234.tif 000006